(57)【要約】  【課題】  エンジンフードに確実に取付けでき、指示ビラをぶら下げて利用可能であり、且つ、エンジンフードを閉じた場合にも、指示ビラが折れ曲がったり汚れたりしにくい指示ビラ固定治具を提供する。  【解決手段】  板状からなり、表面に指示ビラＷを挟み込み可能なクリップ部２４を設けてなり磁力を有する指示ビラ固定部２と、基端部が指示ビラ固定部２に固定され他端が該固定部２から延設され先端が鉤状に湾曲されたフック３１を形成する引っ掛け部３とから構成する。【選択図】  図１
2007191004.tif 000002
【特許請求の範囲】
【請求項１】
板状からなり、表面に指示ビラを挟み込み可能なクリップ部を設けてなり磁力を有する指示ビラ固定部と、基端部が指示ビラ固定部に固定され他端が該固定部から延設され先端が鉤状に湾曲されたフックを形成する引っ掛け部とからなる指示ビラ固定治具。
【発明の詳細な説明】
【技術分野】
【０００１】
この発明は指示ビラ固定治具にかかり、詳細には、自動車組み立て作業時、自動車ボディーのエンジンフード部に固定して該組み立て作業の仕様を表示する指示ビラを固定するための指示ビラ固定治具に関する。
【背景技術】
【０００２】
自動車組み立て作業に於て、ボンネット内部の作業時などには、作業内容や工程等の仕様を記載した指示ビラを用い、作業者が作業内容に間違えがないか否かを随時確認可能な状態で組み立て作業を行っている。
【０００３】
従来、この仕様を記載した指示ビラは、一端をボンネットから開いたエンジンフードの回動端（先端）に、アクリル製の棒状体内に磁石を固定した棒状マグネットによって固定していた。
即ち、従来例を表す図５にあるように、透明なアクリル製の棒状体１００の中央内部にマグネット１０１を固定した棒状マグネット１０２を用い、開状態にしたエンジンフードＥＦの先端側に指示ビラＷを挟み込んで棒状マグネット１０２を該フードＥＦに磁着し、指示ビラＷをぶら下げていた。
【発明の開示】
【発明が解決しようとする課題】
【０００４】
しかしながら、従来例のように棒状マグネット１０２によって指示ビラＷを挟み込んでぶら下げていた場合には、棒状マグネット１０２の磁力がそれほど大きくないため、作業者が作業内容を確認するために指示ビラＷに触れた場合や夏場の扇風機の風などで棒状マグネット１０２が外れて落下してしまい、指示ビラＷのぶら下げが解除されてしまうという問題点を有した。又、棒状マグネット１０２はアクリル製なので、落下することで破損してしまうという問題点を有し、更にマグネットの磁力を有効に使うためにマグネット表面を露出させて構成するが、指示ビラＷが揺れ動き外れてしまう場合に棒状マグネット１０２も外れて落下してしまい、車体の塗装に傷を付けてしまうという問題点を有した。
更に又、指示ビラＷは単にぶら下げてあるだけなので、組み立て作業時にエンジンフードＥＦを閉じなければならない場合にそのままエンジンフードＥＦを閉じると指示ビラＷがボンネット内部で折れ曲がったり他の部分に接触して汚れたりするという問題点を有した。そして、棒状マグネットによる取付では、指示ビラＷの取付箇所エンジンフードＥＦに固定されてしまうため、風に吹かれると指示ビラＷの自由端がひらひらと揺れてしまい視認し難いという問題点を有した。
そこでこの発明は、これら問題点に鑑み、エンジンフードに確実に取付け可能で、指示ビラをぶら下げて利用可能であり、且つ、エンジンフードを閉じた場合にも、指示ビラが折れ曲がったり汚れたりしにくい指示ビラ固定治具を提供する。
【課題を解決するための手段】
【０００５】
そこでこの発明は、
【０００６】
板状からなり、表面に指示ビラを挟み込み可能なクリップ部を設けてなり、磁力を有する指示ビラ固定部と、基端部が指示ビラ固定部に固定され他端が該固定部から延設され先端が鉤状に湾曲されたフックを形成する引っ掛け部とからなる指示ビラ固定治具、
【０００７】
を提供する。従って、指示ビラ固定治具では、指示ビラ固定部に設けるクリップ部に指示ビラを挟み込む。そしてこの状態で引っ掛け部先端のフックを、エンジンフードの先端側にある予め形成されている孔、或は、エンジンフードを閉じた際にボディーと係止させるボンネット係止部などの適宜位置へ引っ掛ける。指示ビラ固定治具は、フックによりエンジンフードに引っ掛けて固定されるため、容易には外れない。
【０００８】
又、エンジンフードを閉状態にする場合には、磁力を有する指示ビラ固定部の裏面をエンジンフードの内表面へ磁着させる。これにより、指示ビラはクリップ部に固定されている側が確実にエンジンフードの内表面側に移動されるので、自由端側の垂れ下がり長さが短くなり、ボンネット内部での接触やしわくちゃになってしまうような折れ曲がりがない。
【発明の効果】
【０００９】
従って、この発明によれば、ボンネット内部の組み立て作業時に用いる指示ビラをエンジンフードに確実に固定でき、指示ビラ固定治具ごと外れて落ちることはない。
【００１０】
又、指示ビラ固定部が磁力を有しており、指示ビラ固定治具を取付けたままエンジンフードをしめる際には、該固定部をエンジンフードの内表面に磁着させることで、指示ビラの垂れ下がり量を少なくでき、場合によっては指示ビラの自由端側を他端側と共にクリップ部に挟み込むことで、更に垂れ下がりを少なくすることが可能となり、ボンネット内部での指示ビラの汚れや折れ曲がりを防止可能となる。
【発明を実施するための最良の形態】
【００１１】
指示ビラ固定部は、表面視長方形の板状のマグネット板から形成し、該固定部の表面には長辺方向両端側にクリップ部を２箇所設ける。クリップ部は、２片がばね力により洗濯ばさみ状に開閉可能なクリップからなり、２片の間に紙状の指示ビラを挟み込み可能である。
【００１２】
又、指示ビラ固定部の一方の長辺側中央には引っ掛け部を設ける。引っ掛け部は軟質のプラスチック板からなり、基端部が指示ビラ固定部にリベットによって固定される。そして端は指示ビラ固定部の長辺から略直角に延設され、先端がフック状に曲げられている。
【００１３】
作業者は、指示ビラ固定部のフック部分を開状態としたエンジンフードの回動先端部にある閉状態時係止部やエンジンフード補強用リブ部分等に引っ掛ける。この状態で指示ビラ固定治具はエンジンフードに係止されている。そして、係止された指示ビラ固定治具のクリップ部に指示ビラを挟み込む。すると指示ビラは、上端がクリップ部に固定され、下方へと垂れ下がった状態で取付けられる。
【００１４】
組み立て作業時に、エンジンフードをしめる必要が生じた場合には、指示ビラ固定治具の指示ビラ固定部をエンジンフードの内側表面へ、その磁力によって磁着する。これにより、エンジンフードの内に位置される指示ビラは、折れ曲がったりしわくちゃになることを防止できる。
又、指示ビラ固定部を磁着する際、指示ビラの垂れ下がっている側の端部を指示ビラ固定部を磁着する際に挟み込んでも良い。これにより、垂れ下がった指示ビラはその長さが凡そ半分になると共に挟み込まれることでエンジンフード内面側に位置するので更に折れ曲がりやしわくちゃになることを防止できる。
【実施例１】
【００１５】
以下にこの発明の実施例を図面に基づき説明する。図１はこの発明の実施例を表す正面説明図であり、図２はこの発明の実施例の部品を表す斜視説明図であり、図３は指示ビラを取付けた状態を表す説明図であり、図４は自動車のエンジンフードに取付けた状態を表す説明図である。
【００１６】
Ｗは指示ビラである。指示ビラＷは、表面に仕様や製造手順を記載したものであり紙状からなる。指示ビラＷは、開状態としたエンジンフードＥＦにぶら下げて視認可能にし、作業効率を上げている。又、指示ビラＷは、エンジンフードＥＦを閉状態にした際にボンネット内部に置かれたままとなる。そして、指示ビラＷが置かれた車両は作業手順通りに組み立てられ搬送される。
１は、この発明の実施例である指示ビラ固定治具である。指示ビラ固定治具１は、図１に表すように、板状体からなり指示ビラを固定するビラ固定部２と、エンジンフードＥＦへ取付けるための引っ掛け部３とからなる。
【００１７】
ビラ固定部２は、正面視長方形形状を成すプラスチックス製の板状体からなり、一方の長辺である下部２１にはマグネット２２を設ける。マグネット２２は薄板状であり、ビラ固定部２の裏面に固定されている。又、ビラ固定部２の表面上部２３には中央となるように引っ掛け部３が固定される。更に、ビラ固定部２には、中央長手方向に所定間隔で並ぶようにクリップ部２４を固定する。尚、この実施例では、ビラ固定部２にはマグネット２２を固定して設けたが、ビラ固定部２そのものが磁力を有する板状マグネットからなっても良い。
【００１８】
クリップ部２４は、図２に表すように、基台部２４ａと挟持片２４ｂとからなり、基台部２４ａの裏面がビラ固定部２に固定される。又、基台部２４ａと挟持片２４ｂとは内部に設けたバネ（図示せず）によって洗濯ばさみ状に基台部２４ａと挟持片２４ｂとの間で指示ビラＷを挟持可能に構成し、図３に表すように、指示ビラＷを挟持固定する。
【００１９】
引っ掛け部３は、長細い板状をなすスポンジのような柔らかな樹脂素材から構成する。このようにスポンジ状の素材から構成するのは、エンジンフードＥＦに引っ掛けたままエンジンフードを閉じボンネット内部に位置される時に、エンジンフードＥＦと自動車本体側との係止部で、車体に傷を付けずに、且つ挟み込み可能にするためである。このように構成する引っ掛け部３は、基端部をプラスチックリベットや接着テープ等によってビラ固定部２の表面上端に固定する。又、引っ掛け部３の他端は、フック部３１を構成し、エンジンフードＥＦに引っ掛け係止可能とする。
【００２０】
フック部３１は、図１に表すように、上端側が他端側へ向かうように湾曲され、フック部３１の他端側も湾曲された上端側へ突出するように構成することで、引っ掛け部３のフック部３１側端部は長孔の一部が開口した形状をなす。
【００２１】
上記のように構成する指示ビラ固定治具１は、図３に表すように、並設したビラ固定部２に指示ビラＷの上端を挟み込み、指示ビラＷを挟持固定させる。そして、指示ビラＷを挟持固定した指示ビラ固定治具１は、図４に表すように、エンジンフードＥＦ車両本体係止部（図示せず）と係止可能なエンジンフード側係止フックＥＦＦに、引っ掛け部３のフック部３１を引っ掛ける。
これにより指示ビラ固定治具１は指示ビラＷをエンジンフードＥＦの開口先端側にぶら下げられる。
【００２２】
この状態で、夏場等に扇風機を回した際に扇風機の風が吹くと、指示ビラＷは揺られることとなるが、指示ビラ固定治具１のフック部３１がエンジンフードＥＦに引っ掛かって吊下げられ自由に動くことができるので、従来のように指示ビラＷが途中から湾曲して揺れ動くという動きではなく、吊下げられた上端のフック部３１から指示ビラＷの下端までの全体が揺れ動くという動作となり、作業者の指示ビラＷ視認の支障とならないような動きとなる効果を有する。
【００２３】
更に、上記のような指示ビラＷを吊下げた状態からエンジンフードＥＦを閉じる際には、マグネット２２をエンジンフードＥＦの内表面に磁着させる。又この時に、マグネット２２とボンネット内部との間に指示ビラＷの下端を挟み込んでも良い。
【産業上の利用可能性】
【００２４】
従って、この発明は自動車等の製造組み立て過程で使用可能である。
【図面の簡単な説明】
【００２５】
【図１】この発明の実施例を表す正面説明図
【図２】この発明の実施例の部品を表す斜視説明図
【図３】指示ビラを取付けた状態を表す説明図
【図４】自動車のエンジンフードに取付けた状態を表す説明図
【図５】従来例を表し、（ａ）は自動車のエンジンフードに取付けた状態の説明図（ｂ）は部分拡大説明図
【符号の説明】
【００２６】
Ｗ    指示ビラ
ＥＦ  エンジンフード
ＥＦＦ  エンジンフード側係止フック
１  指示ビラ固定治具
２  ビラ固定部
２１  下部
２２  マグネット
２３  表面上部
２４  クリップ部
２４ａ  基台部
２４ｂ  挟持片
３  引っ掛け部
３１  フック部
【図１】
2007191004.tif 000003
【図２】
2007191004.tif 000004
【図３】
2007191004.tif 000005
【図４】
2007191004.tif 000006
【図５】
2007191004.tif 000007